(57)【要約】【課題】防犯性の向上を図ることのできる荷受けボックスを提案する。【解決手段】荷受けボックス１は、建物の外壁１００を屋内外に貫通するように設置される。荷受けボックス１は、荷物を収納する収納空間Ｓ１を内部に有する箱２と、箱２に設けられた屋外開口２０と、屋外開口２０を開閉する屋外扉３と、箱２に設けられた屋内開口２１を備える。さらに荷受けボックス１は、屋内開口２１を開閉する屋内扉４と、鍵装置５と、屋内扉４の内面に設けられるカバー材６を備える。鍵装置５は、屋内扉４を厚み方向に貫通するように設けられる操作部５０と、操作部５０に連結され、箱２に対して引掛けることのできる引掛け部５１を有する。カバー材６は、屋内扉４の内面の所定の領域を覆うように構成され、操作部５０は、前記所定の領域の一部を貫通している。【選択図】図２
2018139762.tif 000002
【特許請求の範囲】
【請求項１】
建物の外壁を屋内外に貫通するように設置される荷受けボックスであって、
荷物を収納する収納空間を内部に有する箱と、
前記箱の屋外側に露出する部分に設けられた屋外開口と、
前記屋外開口を開閉する屋外扉と、
前記箱の屋内側に露出する部分に設けられた屋内開口と、
前記屋内開口を開閉する屋内扉と、
前記屋内扉を厚み方向に貫通するように設けられる操作部と、前記操作部に連結され、前記箱に対して引掛けることのできる引掛け部とを有する鍵装置と、
前記屋内扉のうち、前記屋内開口を閉じた状態において前記収納空間側を向く内面に設けられるカバー材と、を備え、
前記カバー材は、前記内面の所定の領域を覆うように構成され、前記操作部は、前記所定の領域の一部を貫通していることを特徴とする荷受けボックス。
【請求項２】
前記屋内扉の前記内面のうち前記所定の領域に設けられる固定部材をさらに備え、
前記固定部材に前記カバー材が固定されていることを特徴とする請求項１に記載の荷受けボックス。
【請求項３】
前記所定の領域は、前記屋内扉の前記内面の全体であることを特徴とする請求項１または２に記載の荷受けボックス。
【請求項４】
前記所定の領域は、前記屋内扉の前記内面の周縁部を含むことを特徴とする請求項１または２に記載の荷受けボックス。
【発明の詳細な説明】
【技術分野】
【０００１】
本発明は、荷受けボックスに関する。
【背景技術】
【０００２】
特許文献１には、玄関のドアに並ぶように位置するキー付き扉と、玄関室内から開閉される開閉板を有する物品収納箱が記載されている。開閉板には、玄関室内からのみ開閉自在とした係止金物が設けられている。
【先行技術文献】
【特許文献】
【０００３】
【特許文献１】実公平７−６３７号公報
【発明の概要】
【発明が解決しようとする課題】
【０００４】
ところで、特許文献１に記載の物品収納箱では、係止金物が、物品収納箱の内側の空間に露出している。そのため、この物品収納箱では、キー付き扉を開くと係止金物が見えるため、係止金物が破壊されるおそれがあり、防犯面で改善の余地がある。
【０００５】
上記事情に鑑みて、本発明は、防犯性の向上を図ることのできる荷受けボックスを提案することを、目的とする。
【課題を解決するための手段】
【０００６】
本発明に係る一態様の荷受けボックスは、下記の特徴を備える。
【０００７】
荷受けボックスは、建物の外壁を屋内外に貫通するように設置される。荷受けボックスは、荷物を収納する収納空間を内部に有する箱と、前記箱の屋外側に露出する部分に設けられた屋外開口と、前記屋外開口を開閉する屋外扉と、前記箱の屋内側に露出する部分に設けられた屋内開口と、前記屋内開口を開閉する屋内扉を備える。荷受けボックスはさらに、鍵装置と、前記屋内扉のうち、前記屋内開口を閉じた状態において前記収納空間側を向く内面に設けられるカバー材を備える。
【０００８】
前記鍵装置は、前記屋内扉を厚み方向に貫通するように設けられる操作部と、前記操作部に連結され、前記箱に対して引掛けることのできる引掛け部とを有する。
【０００９】
前記カバー材は、前記内面の所定の領域を覆うように構成され、前記操作部は、前記所定の領域の一部を貫通している。
【発明の効果】
【００１０】
本発明は、防犯性の向上を図ることのできる荷受けボックスを提案することができる。
【図面の簡単な説明】
【００１１】
【図１】図１は、本発明に係る実施形態１の荷受けボックスを示す斜視図である。
【図２】図２は、同上の荷受けボックスの設置構造を示す平断面図である。
【図３】図３は、図２のＡ部分を拡大した平断面図である。
【図４】図４は、同上の荷受けボックスの屋内扉を示す斜視図である。
【図５】図５は、本発明に係る実施形態２の荷受けボックスの屋内扉を示す斜視図である。
【発明を実施するための形態】
【００１２】
（実施形態１）
図１及び図２には、実施形態１の荷受けボックス１が示されている。荷受けボックス１は、建物の外壁１００を屋内外に貫通するように設置される。荷受けボックス１は、配達された宅配物を受け取るためのボックスである。
【００１３】
荷受けボックス１は、箱２と、屋外扉３と、屋内扉４と、鍵装置５と、カバー材６と、固定部材７を備える。箱２は、屋外側に露出する部分に設けられた屋外開口２０と、屋内側に露出する部分に設けられた屋内開口２１を有する。
【００１４】
本実施形態では、屋外開口２０は、箱２の屋外側の端部に位置し、屋内開口２１は、箱２の屋内側の一方の側壁に位置する。以下では、屋外側を前方とし、屋内側を後方とし、平面視において前後方向に直交する方向を左右方向として、各構成について説明する。各図において、矢印Ｘで示す方向が前方であり、矢印Ｙで示す方向が右方であり、矢印Ｚで示す方向が上方である。
【００１５】
まず、箱２について説明する。
【００１６】
箱２は、その内部に荷物を収納する収納空間Ｓ１を有する。箱２は、右面の一部と前面の一部が開口した直方体状の箱である。箱２は、天板２２と、底板２３と、後板２４と、右の側板２５と、左の側板２６を一体に有する。天板２２、底板２３、後板２４、側板２５、側板２６のそれぞれは、外殻を構成する金属製のハウジング２２０，２３０，２４０，２５０，２６０と、内部を構成する断熱材２７を含む。断熱材２７は、例えば、ウレタンフォームである。天板２２、底板２３、後板２４、側板２５、側板２６のそれぞれは、矩形板状である。
【００１７】
右の側板２５のうち、外壁１００よりも後側（屋内側）の部分に、屋内開口２１が設けられている。屋内開口２１は、側板２５を厚み方向（左右方向）に貫通している。側板２５のうち屋内開口２１の前側の縁部分には、屋内扉４が回転自在に連結されるヒンジ（図示せず）が設けられる。
【００１８】
箱２の前面の上部には、荷受け処理装置８が設けられ、箱２の前面の残りの部分には、屋外開口２０が設けられている。屋外開口２０は、荷受け処理装置８の下方に位置する。
箱２の前面のうち屋外開口２０の左側の縁部分には、屋外扉３が回転自在に連結されるヒンジ（図示せず）が設けられる。
【００１９】
荷受け処理装置８は、宅配業者によって操作される装置である。荷受け処理装置８は、屋外扉３を開くための開ボタン８０と、配達伝票を差し込むための差込口８１と、配達伝票に捺印するための捺印ボタン８２を有する。
【００２０】
箱２は、天板２２、底板２３、後板２４、側板２５、側板２６のそれぞれの前端部から外側に向けて突出したフランジ状の取付片２８を有する。各取付片２８は、ビス等の固定具で外壁１００に対して固定される。
【００２１】
箱２は、閉位置にあるときの屋内扉４を受ける前後一対の扉受け２９をさらに有する。前後一対の扉受け２９のそれぞれは、本実施形態では、右の側板２５のハウジング２５０の一部で構成されている。なお、後側の扉受け２９については、後板２４のハウジング２４０の一部で構成されてもよい。
【００２２】
前側の扉受け２９は、ハウジング２５０のうち屋内開口２１の前縁部分から左方に延長された前対向片部２９０と、前対向片部２９０の先端（左端）から後方に延長された前受け片部２９１を含む。さらに前側の扉受け２９は、前受け片部２９１の先端（後端）から左方に延長された前端片部２９２を含む。
【００２３】
後側の扉受け２９は、図３に示すように、ハウジング２５０のうち屋内開口２１の後縁部分から左方に延長された後対向片部２９３と、後対向片部２９３の先端（左端）から前方に延長された後受け片部２９４を含む。さらに後側の扉受け２９は、後受け片部２９４の先端（前端）から左方に延長された引掛け片部２９５と、引掛け片部２９５の先端（左端）から後方に延長された覆い片部２９６を含む。引掛け片部２９５には、鍵装置５の一部が挿入可能な挿入孔２９７が設けられている。挿入孔２９７は、本実施形態では、縦長の孔である（図１参照）。
【００２４】
続いて、屋外扉３について説明する。以下では、屋外開口２０を閉じた状態にある屋外扉３を基準にして説明する。
【００２５】
図１及び図２に示すように、屋外扉３は、矩形板状である。屋外扉３は、屋外扉３の外殻を構成する金属製のハウジング３０と、屋外扉３の内部を構成する断熱材３１を含む。屋外扉３の左端部は、箱２の前面に設けられたヒンジに回転自在に連結される。屋外扉３は、その左端部を中心に全体が回転して、屋外開口２０を塞ぐ閉位置と、屋外開口２０を開放する開位置との間で移動可能である。
【００２６】
続いて、屋内扉４について説明する。以下では、屋内開口２１を閉じた状態にある屋内扉４を基準にして説明する。
【００２７】
屋内扉４は、矩形板状である。屋内扉４は、屋内扉４の外殻を構成する金属製のハウジング４０と、屋内扉４の内部を構成する断熱材４１を含む。屋内扉４の前端部は、側板２５に設けられたヒンジに回転自在に連結される。屋内扉４は、その前端部を中心に全体が回転して、屋内開口２１を塞ぐ閉位置と、屋内開口２１を開放する開位置との間で移動可能である。
【００２８】
ハウジング４０は、左方に開口した矩形の箱型である。詳しくは、ハウジング４０は、矩形板状の本体部４００と、本体部４００の上下前後の各端辺から左方に向けて延長された周片部４０１と、各周片部４０１の先端（左端）から本体部４００と対向するように延長された端片部４０２を含む。上下前後の各端片部４０２は、本体部４００に対して平行である。
【００２９】
本体部４００には、鍵装置５が取り付けられる取付孔４０３が設けられている。取付孔４０３は、本体部４００を厚み方向に貫通している。上側と下側と後側の周片部４０１のそれぞれには、貫通孔４０４が設けられている。各貫通孔４０４は、各周片部４０１を厚み方向に貫通している。
【００３０】
続いて、鍵装置５について説明する。
【００３１】
図３に示すように、鍵装置５は、屋内扉４を厚み方向に貫通するように設けられる操作部５０と、操作部５０に連結され、箱２に対して引掛けることのできる引掛け部５１と、操作部５０に引掛け部５１を固定する取付具５２を有する。
【００３２】
操作部５０は、屋内にいる利用者によって操作される。操作部５０は、例えば、鍵５３（図１参照）が差し込まれて回転操作されるシリンダー錠である。なお、操作部５０は、鍵５３で回転操作するタイプではなく、屋内に位置するレバーで回転操作するものであってもよい。
【００３３】
操作部５０は、左方に突出した軸部５００を有する。この軸部５００に、引掛け部５１が固定される。軸部５００の外周面には、ねじ溝が形成されている。
【００３４】
引掛け部５１は、軸部５００に固定される固定片部５１０と、固定片部５１０の後端部から左方に延長された突片部５１１と、突片部５１１の先端部（左端部）から後方に延長された引掛け片部５１２を含む。引掛け部５１は、金属製であり、例えば、一方向に長い矩形状の鋼板を折り曲げ加工することによって形成される。固定片部５１０には、軸部５００が挿通される挿通孔５１３が設けられている。
【００３５】
取付具５２は、例えば、ナットである。軸部５００が固定片部５１０の挿通孔５１３に挿通された状態で、取付具５２が軸部５００に対して締め付けられることで、操作部５０に引掛け部５１が連結される。
【００３６】
鍵装置５は、操作部５０が回転操作されることよって、引掛け片部５１２が回転して施錠姿勢と解錠姿勢に切り替わる。施錠姿勢にあるとき、引掛け片部５１２は、挿入孔２９７に挿入されて引っ掛かり片部２９５に対して引掛かる。解錠姿勢にあるとき、引掛け片部５１２は、挿入孔２９７から抜けて位置する。鍵装置５は、操作部５０の回転操作によってのみ、引掛け片部５１２の姿勢が切り替わるように構成されており、箱２内からの操作では引掛け片部５１２の姿勢を切り替えることができない。
【００３７】
続いて、カバー材６について説明する。
【００３８】
図２、図３及び図４に示すように、カバー材６は、屋内扉４のうち、屋内開口２１を閉じた状態において収納空間Ｓ１側を向く内面（本実施形態では、本体部４００の左面のうち４つの端片部４０２よりも内側の部分）に設けられる。カバー材６は、屋内扉４の内面の所定の領域を覆うように構成される。所定の領域とは、鍵装置５の操作部５０が貫通した部分が含まれる領域である。言い換えると、鍵装置５の操作部５０は、屋内扉４の内面の所定の領域の一部を貫通している。
【００３９】
本実施形態では、所定の領域は、屋内扉４の内面の全体である。カバー材６は、左右方向に厚みを有する矩形板状のカバー本体部６０と、カバー本体部６０の上下前後の各端辺から右方に延長された側片部６１を含む。
【００４０】
上側と下側と後側のそれぞれの側片部６１には、貫通孔４０４に対応する部分に、貫通孔６２が設けられている。後側の側片部６１には、挿入孔２９７に対応する部分に、開口部６３が設けられている。施錠姿勢にあるときの引掛け片部５１２は、その先端部（後端部）が、開口部６３を通って、後側の側片部６１から外側（後側）に飛び出す。開口部６３は、上下方向に長い孔である。解錠姿勢にあるときの引掛け片部５１２は、後側の側片部６１よりも前方に位置し、カバー材６によって覆われて収納空間Ｓ１に露出しない。引掛け片部５１２の姿勢に関わらず、操作部５０と引掛け部５１の連結部分（取付具５２）は、カバー材６によって覆われて収納空間Ｓ１に露出しない。
【００４１】
続いて、固定部材７について説明する。
【００４２】
図３及び図４に示すように、固定部材７は、屋内扉４の内面にカバー材６を固定するための部材である。荷受けボックス１は、固定部材７を複数（本実施形態では６つ）備える。複数の固定部材７のそれぞれは、屋内扉４の各周片部４０１の各貫通孔４０４に対向するように、屋内扉４の内面に固定される。
【００４３】
固定部材７は、Ｌ字状の部材である。詳しくは、固定部材７は、屋内扉４の内面に固定される矩形板状の固定片部７０と、固定片部７０の外側（対向する周片部４０１側）の端辺から略垂直に延長された矩形板状の取付片部７１を含む。固定片部７０は、屋内扉４の内面に、例えば、溶着によって固定される。固定部材７は、金属製であり、例えば、一方向に長い一枚の矩形板状の鋼板を折り曲げ加工して形成される。
【００４４】
取付片部７１には、貫通孔７２とねじ止め部７３が設けられている。本実施形態では、ねじ止め部７３は、取付片部７１の内側（対応する周片部４０１とは反対側）の面に固定されたナットである。なお、ねじ止め部７３は、貫通孔７２の内周面に形成されたねじ溝で構成されてもよい。
【００４５】
複数の固定部材７のそれぞれは、貫通孔７２が、屋内扉４の各周片部４０１の各貫通孔４０４に対して一列に並ぶように、屋内扉４の内面に固定される。
【００４６】
カバー材６は、各側片部６１が各固定部材７の取付片部７１の外側に配された状態で、屋内扉４の各貫通孔４０４から挿入されたねじ等の固定具９が各固定部材７のねじ止め部７３に対して締め付けられることで、屋内扉４の内面に固定される。
【００４７】
続いて、荷受けボックス１の設置構造について説明する。
【００４８】
図２に示すように、荷受けボックス１は、外壁１００を屋内外に貫通するように取り付けられる。外壁１００は、一対の柱１０１と、一対の柱１０１間に架け渡される上下一対の横架材（図示せず）と、一対の柱１０１の屋外側に取り付けられる外装材１０２と、一対の柱１０１の屋内側に取り付けられる内装材１０３とを有する。
【００４９】
荷受けボックス１は、上下左右の各取付片２８が、一対の柱１０１及び横架材の屋外側にねじ固定される。各取付片２８は、一対の柱１０１の屋外側に取り付けられた外装材１０２によって覆い隠される。
【００５０】
続いて、荷受けボックス１の利用方法の一例について説明する。
【００５１】
荷受けボックス１は、図２に示すように、屋外扉３と屋内扉４を閉じた状態が、荷受け待ち状態である。
【００５２】
荷物の配達業者は、荷受け処理装置８の開ボタン８０を押すことで、屋外扉３を開いて、収納空間Ｓ１に荷物を収容することができる。その後、配達業者は、屋外扉３を閉じることで、屋外扉３を箱２に対して施錠することができる。その後、配達業者は、差込口８１に配達伝票を差し込んで捺印ボタン８２を押すことで、配達伝票に捺印することができる。
【００５３】
荷受けボックス１の所有者は、屋内側から鍵装置５に鍵５３を差し込んで回転操作することによって、屋内扉４を開いて、収納空間Ｓ１にある荷物を取り出すことができる。
【００５４】
以上説明した本実施形態の荷受けボックス１では、屋内扉４に設けられた鍵装置５の操作部５０と引掛け部５１の連結部分（取付具５２）がカバー材６で覆われて、箱２の内部の収納空間Ｓ１に露出しない。
【００５５】
そのため、本実施形態の荷受けボックス１では、操作部５０と引掛け部５１の連結部分から取付具５２が取り外される等して鍵装置５が破壊されることを、カバー材６によって抑制することができ、防犯性の向上を図ることができる。
【００５６】
また、本実施形態の荷受けボックス１では、カバー材６が屋内扉４の内面の全体を覆っているため、操作部５０と引掛け部５１の連結部分が、屋内扉４のどの部分に位置するのかもわかりにくい。
【００５７】
（変更例）
続いて、実施形態１の荷受けボックス１の変更例について説明する。
【００５８】
屋内開口２１は、箱２の屋内側に露出する部分に設けられればよく、箱２の右の側板２５に限らず、箱２の左の側板２６または後板２４または天板２２に設けられてもよい。
【００５９】
固定部材７は、カバー材６の側片部６１が固定可能な形状であればよく、Ｌ字状に限定されない。
【００６０】
荷受けボックス１は、固定部材７を備えなくてもよく、カバー材６が屋内扉４の内面に溶着等で直接固定されてもよい。
【００６１】
荷受け処理装置８は、屋外扉３を屋内外に貫通するように設けられてもよい。
【００６２】
屋内扉４の貫通孔４０４の数及び配置と、固定部材７の数及び配置は、上述の例に限定されず、適宜選択可能である。例えば、後側に位置する２つの貫通孔４０４と対応する２つの固定部材７は、省略可能である。
【００６３】
（実施形態２）
続いて、実施形態２の荷受けボックス１について説明する。図５には、実施形態２の荷受けボックス１の屋内扉４が示されている。以下では、実施形態１の荷受けボックス１と同様の構成については図中に同一の符号を付して詳しい説明を省略し、実施形態１の荷受けボックス１とは異なる構成については詳しく説明する。
【００６４】
実施形態２の荷受けボックス１では、カバー材６が覆う屋内扉４の内面の所定の範囲は、屋内扉４の内面の周縁部を含む。
【００６５】
詳しくは、カバー材６は、カバー本体部６０の中央部に位置する矩形孔状の開口６４を含む。開口６４は、カバー本体部６０を厚み方向に貫通している。開口６４は、鍵装置５に対して前方及び下方に離れた位置にあり、収納空間Ｓ１から屋内扉４を見たときに、鍵装置５の操作部５０及び取付具５２が視えない位置である。カバー本体部６０は、矩形枠状である。
【００６６】
鍵装置５の操作部５０は、屋内扉４の内面の周縁部の一部（本実施形態では、屋内扉４の内面の後側上部の隅部分）に貫通するように取り付けられている。
【００６７】
以上説明した実施形態２の荷受けボックス１においても、屋内扉４に設けられた鍵装置５の操作部５０と引掛け部５１の連結部分（取付具５２）がカバー材６で覆われて、箱２の内部の収納空間Ｓ１に露出しない。
【００６８】
そのため、実施形態２の荷受けボックス１では、操作部５０と引掛け部５１の連結部分から取付具５２が取り外される等して鍵装置５が破壊されることを、カバー材６によって抑制することができ、防犯性の向上を図ることができる。
【００６９】
また、実施形態２の荷受けボックス１では、カバー材６が屋内扉４の内面の全体ではなく周縁部のみを覆っているため、操作部５０と引掛け部５１の連結部分の位置がわかりにくいうえ、カバー材６の軽量化と製造コストの削減を図ることもできる。
【００７０】
（変更例）
上述した実施形態２の荷受けボックス１は、上述した実施形態１の荷受けボックス１の変更例を採用可能である。
【００７１】
また、実施形態２の荷受けボックス１では、カバー材６が覆う所定の領域は、屋内扉４の内面の周縁部に限らず、操作部５０が貫通する部分を含んだ領域であればよい。例えば、カバー材６が覆う所定の領域は、屋内扉４の内面の上部領域だけであってもよいし、屋内扉４の内面の後部領域だけであってもよい。また、カバー材６が覆う所定の領域は、操作部５０が貫通する部分を一部に含むように、適宜設定可能である。
【００７２】
（作用効果）
以上説明した実施形態１及び２の荷受けボックス１は、第一の特徴として、以下の構成を備える。
【００７３】
すなわち、実施形態１及び２の荷受けボックス１は、建物の外壁１００を屋内外に貫通するように設置される。実施形態１及び２の荷受けボックス１は、荷物を収納する収納空間Ｓ１を内部に有する箱２と、箱２の屋外側に露出する部分に設けられた屋外開口２０と、屋外開口２０を開閉する屋外扉３と、箱２の屋内側に露出する部分に設けられた屋内開口２１を備える。さらに実施形態１及び２の荷受けボックス１は、屋内開口２１を開閉する屋内扉４と、鍵装置５と、屋内扉４のうち、屋内開口２１を閉じた状態において収納空間Ｓ１側を向く内面に設けられるカバー材６を備える。
【００７４】
鍵装置５は、屋内扉４を厚み方向に貫通するように設けられる操作部５０と、操作部５０に連結され、箱２に対して引掛けることのできる引掛け部５１を有する。
【００７５】
カバー材６は、屋内扉４の内面の所定の領域を覆うように構成され、操作部５０は、前記の所定の領域の一部を貫通している。
【００７６】
上記の第一の特徴を備えることで、実施形態１及び２の荷受けボックス１は、鍵装置のうち、操作部５０と引掛け部５１の連結部分をカバー材６で覆って、この連結部分が、箱２の内部の収納空間Ｓ１に露出することを防ぐことができる。そのため、実施形態１及び２の荷受けボックス１では、操作部５０と引掛け部５１の連結部分が破壊されることをカバー材６によって抑制することができ、防犯性の向上を図ることができる。
【００７７】
さらに、実施形態１及び２の荷受けボックス１は、第二の特徴として、以下の構成を付加的に備える。
【００７８】
すなわち、実施形態１及び２の荷受けボックス１は、屋内扉４の内面のうち前記所定の領域に設けられる固定部材７をさらに備える。固定部材７にカバー材６が固定されている。
【００７９】
上記の第二の特徴を備えることで、実施形態１及び２の荷受けボックス１では、屋内扉４の内面へのカバー材６の取り付けを、固定部材７に対してカバー材６を取り付けるといった簡単な方法で行うことができる。
【００８０】
さらに、実施形態１の荷受けボックス１は、第三の特徴として、以下の構成を付加的に備える。
【００８１】
すなわち、実施形態１の荷受けボックス１では、前記所定の領域は、屋内扉４の内面の全体である。
【００８２】
上記の第三の特徴を備えることで、実施形態１の荷受けボックス１では、屋内扉４のどの部分に鍵装置５の操作部５０と引掛け部５１の連結部分が位置するのかわかりにくく、防犯性の向上をさらに図ることができる。
【００８３】
さらに、実施形態２の荷受けボックス１は、第四の特徴として、以下の構成を付加的に備える。
【００８４】
すなわち、実施形態２の荷受けボックス１では、前記所定の領域は、屋内扉４の内面の周縁部を含む。
【００８５】
上記の第四の特徴を備えることで、実施形態２の荷受けボックス１では、屋内扉４における鍵装置５の操作部５０と引掛け部５１の連結部分の位置がわかりにくいうえ、カバー材６の軽量化と製造コストの削減を図ることができる。
【００８６】
以上、本発明を添付図面に示す実施形態に基づいて説明したが、本発明は上記の実施形態に限定されるものではなく、本発明の意図する範囲内であれば、適宜の設計変更が可能である。
【符号の説明】
【００８７】
１      荷受けボックス
２      箱
２０    屋外開口
２１    屋内開口
３      屋外扉
４      屋内扉
５      鍵装置
５０    操作部
５１    引掛け部
６      カバー材
７      固定部材
１００  外壁
Ｓ１    収納空間
【図１】
2018139762.tif 000003
【図２】
2018139762.tif 000004
【図３】
2018139762.tif 000005
【図４】
2018139762.tif 000006
【図５】
2018139762.tif 000007